(57)【要約】【課題】従来の締結部材の締付工具係合部（ボルト頭部・ナット）とこれに用いられるソケットレンチを改良し、悪戯による締結部材の取り外しや緩めを防止し、必要時に締結部材を着脱可能な締付工具係合部及びソケットレンチの提供を図る。【解決手段】ねじ山を備えた締結部材の締付工具係合部１１及びこれに用いられるソケットレンチを提供する。締付工具係合部１１はねじの軸方向と実質的に平行に伸びる多角形側面１４と膨出側面１５とからなる複数の側面が環状に組み合わされ、多角形側面１４はねじの軸方向からみたときに正多角形の一辺を構成し、膨出側面１５はねじの軸方向からみたときに上記正多角形の一辺から径外方向に膨出した膨出部１６を備え、膨出部１６の存在により上記正多角形に適合する正多角柱状の嵌合孔６２を備えたソケットレンチ６１が嵌合することができないことを特徴とする。【選択図】図４
0003164405.tif 000002
【実用新案登録請求の範囲】
【請求項１】
ねじ山を備えた締結部材の締付工具係合部において、
上記締付工具係合部は、ねじの軸方向と実質的に平行に伸びる複数の側面が環状に組み合わされたものであり、
この複数の側面は、多角形側面と膨出側面とを備え、
上記多角形側面は、ねじの軸方向からみたときに正多角形の一辺を構成するものであり、
上記膨出側面は、ねじの軸方向からみたときに上記正多角形の一辺から径外方向に膨出した膨出部を備えたものであり、
上記正多角形に適合する正多角柱状の嵌合孔を備えたソケットレンチを嵌合させようとした際、上記膨出部の存在によって、上記ソケットレンチが嵌合することができないものであることを特徴とする、ねじ山を備えた締結部材の締付工具係合部。
【請求項２】
上記正多角形が正六角形であり、上記膨出側面が上記正六角形の外接円により構成されたものであり、上記多角形側面と膨出側面とが交互に形成されたことを特徴とする請求項１に記載のねじ山を備えた締結部材の締付工具係合部。
【請求項３】
ねじ山を備えた締結部材の締付工具係合部に嵌合する嵌合孔を備えたソケットレンチにおいて、
上記嵌合孔は、ねじの軸方向と実質的に平行に伸びる複数の側面が環状に組み合わされたものであり、
この複数の側面は、多角形側面と膨出側面とを備え、
上記多角形側面は、ねじの軸方向からみたときに正六角形の一辺を構成するものであり、
上記膨出側面は、ねじの軸方向からみたときに上記正六角形の一辺から径外方向に膨出した膨出部を備えたものであり、
請求項２に記載の締付工具係合部に嵌合する事かできると共に、
上記多角形側面のみからなる締付工具係合部にも嵌合することができるものであることを特徴とするソケットレンチ。
【考案の詳細な説明】
【技術分野】
【０００１】
本願考案は、ねじ山を備えた締結部材の締付工具係合部（より具体的にはナット・ボルト頭部）と、これに用いられるソケットレンチの改良に関するものである。
【背景技術】
【０００２】
構造物を構成する種々の部品同士を取り付けるための締結部材としてボルト・ナットが用いられる。その締結部材の締付工具係合部であるボルト頭部及びナットの形状の多くは、六角柱等の正多角柱を基本形状としており、スパナやレンチ等の汎用工具を用いて容易に取り付け又は取り外しが可能である。よって、悪戯に締結部材を取り外して部品を盗んだり、締結部材を緩めて放置する事件が発生している。従来より、悪戯による締結部材の取り外しや緩めを防止するための提案がなされてきた。
【０００３】
例えば、特許文献１では、ボルト頭部及びナットの形状を、平行な相対面のない角盤状、あるいは、ボルト頭部の形状を円盤状あるいは饅頭形とし、その中央に、内周壁が相対内側面を有しない多角形の溝を設けることによって通常のレンチやスパナでは容易に取り外すことができないボルト及びナットが提案されている。また、このボルト及びナットの取り付け、取り外しに使用するための専用治具が提案されている。
【０００４】
特許文献１に提案されている上記専用治具は、同じく特許文献１に提案されている上記ボルトまたはナットの取り付け、取り外しのための専用治具である。種々の部品同士を取り付けるためには、特許文献１に提案されているボルト及びナットのほか、六角ボルトや六角ナットに代表される一般のボルトやナットも締結部材として使用されるが、一般のボルトやナットの取り付けや取り外しには使用することができなかった。よって、種々の部品の取り付け及び取り外しの際には、取り付け、取り外しのための工具を複数用意する必要があった。
【先行技術文献】
【特許文献】
【０００５】
【特許文献１】実用新案登録第３０６６７７３号公報
【考案の概要】
【考案が解決しようとする課題】
【０００６】
本願考案はこのことに鑑み、悪戯による締結部材の取り外しや緩めを防止するとともに点検等の必要時に締結部材の取り付けや取り外しを行うことができる締付工具係合部を提供することを課題とする。また、悪戯による締結部材の取り外しや緩めを防止するとともに点検等の必要時に締結部材の取り付けや取り外しを行うことができる締付工具係合部を取り付けるためのソケットレンチを提供することを課題とする。さらに、本願考案に係る締付工具係合部だけではなく、一般の六角ボルトや六角ナットやの取り付けや取り外しにも使用できるソケットレンチを提供することを課題とする。
【課題を解決するための手段】
【０００７】
本願の請求項１に係る考案は、ねじ山を備えた締結部材の締付工具係合部において、上記締付工具係合部は、ねじの軸方向と実質的に平行に伸びる複数の側面が環状に組み合わされたものであり、この複数の側面は、多角形側面と膨出側面とを備え、上記多角形側面は、ねじの軸方向からみたときに正多角形の一辺を構成するものであり、上記膨出側面は、ねじの軸方向からみたときに上記正多角形の一辺から径外方向に膨出した膨出部を備えたものであり、上記正多角形に適合する正多角柱状の嵌合孔を備えたソケットレンチを嵌合させようとした際、上記膨出部の存在によって、上記ソケットレンチが嵌合することができないものであることを特徴とする、ねじ山を備えた締結部材の締付工具係合部を提供する。
【０００８】
本願の請求項２に係る考案は、上記正多角形が正六角形であり、上記膨出側面が上記正六角形の外接円により構成されたものであり、上記多角形側面と膨出側面とが交互に形成されたことを特徴とする請求項１に記載のねじ山を備えた締結部材の締付工具係合部を提供する。
【０００９】
本願の請求項３に係る考案は、ねじ山を備えた締結部材の締付工具係合部に嵌合する嵌合孔を備えたソケットレンチにおいて、上記嵌合孔は、ねじの軸方向と実質的に平行に伸びる複数の側面が環状に組み合わされたものであり、この複数の側面は、多角形側面と膨出側面とを備え、上記多角形側面は、ねじの軸方向からみたときに正六角形の一辺を構成するものであり、上記膨出側面は、ねじの軸方向からみたときに上記正六角形の一辺から径外方向に膨出した膨出部を備えたものであり、請求項２に記載の締付工具係合部に嵌合する事かできると共に、上記多角形側面のみからなる締付工具係合部にも嵌合することができるものであることを特徴とするソケットレンチを提供する。
【考案の効果】
【００１０】
本願の請求項１又は２の考案では、ねじ山を備えた締結部材の締付工具係合部にあって、ねじの軸方向と実質的に平行に伸びる締付工具係合部を、複数の多角形側面と複数の膨出側面とを環状に組み合わせた構成とし、上記膨出側面が備える膨出部の存在によって一般の六角ボルトや六角ナットの取り付けや取り外しに使用する正六角柱状の嵌合孔を備えたソケットレンチを用いて取り外すことができない締付工具係合部を提供することができたものである。特に、本願の請求項２の考案では、上記締付工具係合部を、３面の正六角形側面と、正六角形の外接円により構成された３面の膨出側面とを交互に環状に組み合わせて形成したことにより、上記締付工具係合部の外周を構成する上記６つの側面はそれぞれ相対する平行面を有さないため、上記膨出部の存在によってスパナやレンチ等の汎用工具を用いて取り外すことができない締付工具係合部を提供することができたものである。
また、本願の請求項３の考案では、請求項１及び２の考案の効果に加え、ソケットレンチにあって、そのソケットの嵌合孔を上記締付工具係合部の形状だけではなく、一般の六角ナットや六角ボルトの頭部の形状にも適合するよう形成したため、上記締付工具係合部のほかに一般の六角ボルトや六角ナットの取り付けや取り外しにも使用できるソケットレンチを提供することができたものである。
【図面の簡単な説明】
【００１１】
【図１】本願考案の一実施形態に係るナットの（Ａ）概略平面図、及び（Ｂ）概略側面図である。
【図２】本願考案の一実施形態に係るボルト・ナットの締結構造を示す概略断面図である。
【図３】一般的なソケットレンチの概略を示す説明図である。
【図４】（Ａ）一般の六角ナットと、（Ｂ）本願考案に係るナットのそれぞれに、一般のソケットレンチを被せ平面視した状態を示す説明図である。
【図５】（Ａ）一般の六角ナットと、（Ｂ）本願考案に係るナットのそれぞれに、本願考案に係るソケットレンチを被せ平面視した状態を示す説明図である。
【考案を実施するための形態】
【００１２】
以下、図面に基づき本願考案の実施の形態を説明する。
【００１３】
本願考案に係る締付工具係合部は、ねじ山を備えた締結部材であるボルト２１の頭部２４やナット１１を指すものとする。
【００１４】
図１は、本願考案に係る締付工具係合部であるナット１１の（Ａ）概略平面図、及び（Ｂ）概略側面図である。上記ナット１１は、中央に雌ねじで形成されたねじ穴１２を有し、その外側面１３は、複数の多角形側面１４，１４，１４と複数の膨出側面１５，１５，１５とが組み合わされて環状に形成されている。上記外側面１３を形成する上記多角形側面１４は、上記ナット１１が螺合されるボルトの軸方向、つまり上記ナット１１を平面視したときに正多角形の一辺を構成し、上記膨出側面１５は、上記ナット１１を平面視したときに上記多角形の一辺から径外方向に膨出した膨出部１６を備えている。本実施形態においては、上記多角形側面１４，１４，１４は、正六角形の一辺を構成する正六角形側面から形成され、上記膨出側面１５，１５，１５は上記正六角形の外接円により構成されている。よって、上記膨出部１６は、上記膨出側面１５、つまり上記正六角形に外接する外接円の円弧と、上記外接円の円弧を形成する端点同士を結んだ仮想線（各図において２点鎖線で記載）、つまり上記正六角形の一辺とから構成された部分となる。また、本実施形態においては、上記多角形側面１４と上記膨出側面１５とが交互に組み合わされて環状に形成されており、上記膨出部１６が上記ナット１１の外周部に交互に出現する。一方、図４（Ａ）及び図５（Ａ）に示すように、一般の六角ナット５１の外側面５３は、上記六角ナット５１が螺合されるボルトの軸方向から見たときに、正六角形の一辺を構成する６面の正六角形側面５４から構成されている。上記ナット１１と一般の六角ナット５１と比較すると、一般の六角ナット５１が有する６つの正六角形側面５４のうち、隣り合わない３つの面が上記膨出側面１５から形成されている点でのみ異なっている。よって、上記ナット１１の外周を構成する６つの側面１４，１５，１４，１５，１４，１５は、それぞれ相対する平行な面を有していない。
【００１５】
上記ナット１１の外側面を構成する膨出側面１５は、上記ナット１１を平面視したときに上記正多角形の一辺から径外方向に膨出した膨出部１６を備えていればよく、上記正多角形の外接円から構成されたものや、上記正多角形の外接円の端点同士を結んだ仮想線よりも径外方向に結んだ外接円以外の直線や曲線、また、上記正多角形の外接円の端点同士を結んだ仮想線から径外方向に部分的に突起した突起物であってもよい。
【００１６】
上記ナット１１は、正多角柱の形状を基本とする一般のナットのほか、袋ナットや、ナットの上部に弾性体３４を取り付けることによってゆるみ止め機能をもたせたゆるみ止めナット３１などのナットにも応用できる。
【００１７】
図２に、本願考案に係るナット３１と、本願考案に係る締付工具係合部であるボルト頭部２４を備えたボルト２１とを用いて被締結部品７１，７１を締結したボルト・ナットの締結構造の概略断面図を示す。上記ボルト２１に螺合されているナット３１は、上述のゆるみ止めナット３１を用いている。ボルト２１の軸部２２とナット３１とを螺合する構造であり、被締結部品７１，７１はボルトの頭部２４と、ナット３１の座面３３との間に挟まれた状態となり、ボルト２１とナット３１を締めつけることによって、ボルト・ナットの締結がなされる。
上記ボルト２１は、上記ナット３１の雌ねじで形成されたねじ穴３２と螺合する雄ねじ２３を備えた軸部２２と、軸部２２の端部に設けられるボルト頭部２４とを備え、このボルト頭部２４の形状を、上述したナット１１の外側面１３と同様に形成している。詳しくは、ボルト頭部２４の外側面２５は、３面の正六角形側面２６,２６，２６と、上記正六角形の外接円により構成された３面の膨出側面２７，２７，２７とが交互に組み合わされて環状に形成されている。上記膨出側面２７には、上記ナット１１と同様、膨出部（図示省略）を備えている。上記ボルト頭部２４の外周を構成する６つの側面２６，２７，２６，２７，２６，２７は、上記ナット１１と同様に、それぞれ相対する平行な面を有していない。
【００１８】
上記ボルト頭部２４は、頭部が正多角柱である一般のボルトのほか、ボルト頭部を備えかつボルト頭部に穴が設けられていないボルトにも応用できる。
【００１９】
ソケットレンチとは、ボルトやナットなどの取り付けや取り外しに使用する工具で、内部に締付工具係合部であるボルト頭部やナットを嵌め込むための嵌合孔を備えた円筒状のソケットの上部にラチェットハンドルやスピンナハンドルなどのハンドルを取り付けて使用する。図３に示すように、一般のソケットレンチ６１は、ボルト頭部やナットの形状が正六角柱の六角ボルトや六角ナット５１の取り付けや取り外しに使用するものをいい、上部にハンドル６６が取り付けられたソケット６５の内部には、一般の六角ボルトの頭部や六角ナット５１を嵌めこむための正六角柱の嵌合孔６２が備えられている。
【００２０】
図４（Ａ）及び図４（Ｂ）は、一般の六角ナット５１と本願考案に係るナット１１のそれぞれに、正六角柱状の嵌合孔６２を備えた一般のソケットレンチ６１を被せ平面視した状態を示す説明図である。わかりやすくするために、図４（Ａ）及び図４（Ｂ）には、ソケットレンチ６１として嵌合孔６２のみを点線にて記載している。上述のとおり、一般のソケットレンチ６１の嵌合孔６２は、中央に雌ねじで形成されたねじ穴５２を有する一般の六角ナット５１に嵌合する。一方、一般のソケットレンチ６１を本願考案に係るナット１１に被せて一般のソケットレンチ６１の嵌合孔６２に嵌め込もうとしても、上記ナット１１の膨出側面１５と、一般のソケットレンチ６１を底面視したときに一般のソケットレンチ６１が備える嵌合孔６２の側面６３を形成する正六角形の一辺を構成する正六角形側面６４とが、上記ナット１１に備えられた膨出部１６の存在により適合できず、一般のソケットレンチ６１の正六角柱状の嵌合孔６２は、上記ナット１１に嵌合することができない。
【００２１】
また、上記ナット１１の外側面１３は、上述のとおり、３面の正六角形側面１４，１４，１４と３面の膨出側面１５，１５，１５とが交互に組み合わされて環状に形成されたことにより、上記ナット１１の外周を構成する６つの側面１４，１５，１４，１５，１４，１５は、それぞれ相対する平行な面を有していない。ボルトやナットの取り付け、取り外しに使用するスパナは、ボルトやナットの相対する平行面を挟持してボルトやナットの取り付けや取り外しを行うために、本願考案に係るボルト頭部２４やナット１１の取り付けや取り外しに汎用のスパナを使用することもできない。よって、悪戯による締結部材の取り外しや緩めを防止することができる。
【００２２】
一方、本願考案に係るソケットレンチ４１は、一般のソケットレンチ６１と比較して、そのソケット（図示省略）に備えられた嵌合孔４２の形状が異なる。図５（Ｂ）は、本願考案に係るナット１１に、本願考案に係るソケットレンチ４１を被せ平面視した状態を示す説明図である。わかりやすくするために、後述する図５（Ａ）及び図５（Ｂ）には、図４（Ａ）及び図４（Ｂ）同様、ソケットレンチ４１として嵌合孔４２のみを点線にて記載している。上記嵌合孔４２は、一般のソケットレンチ６１と同様、上記ソケット（図示省略）の内部に備えられた孔で、その側面４３は、複数の多角形側面４４,４４，４４と複数の膨出側面４５,４５，４５とが組み合わされて環状に形成されている。上記側面４３を形成する上記多角形側面４４，４４，４４は、上記ソケットレンチによって取り付けまたは取り外しされるボルト、またはナットが螺合されるボルトの軸方向、つまり、上記ソケット（図示省略）を底面視したときに正六角形の一辺を構成し、上記膨出側面４５，４５，４５は、上記ソケット（図示省略）を底面視したときに上記正六角形の一辺から径外方向である上記正六角形の外接円にまで膨出した膨出部４６を備え、上記正六角形側面４４，４４，４４と、上記膨出側面４５，４５，４５とが交互に組み合わされて形成されている。また、上記膨出部４６は、上記膨出側面４５、つまり上記正六角形に外接する外接円の円弧と、上記外接円の円弧を形成する端点同士を結んだ仮想線（図５（Ａ）において２点鎖線で記載）、つまり上記正六角形の一辺とから構成された部分となる。つまり、上記ソケットレンチ４１は、本願考案に係るナット１１の外側面１３に設けられた３面の正六角形側面１４，１４，１４と３面の膨出側面１５，１５，１５のそれぞれに適合する嵌合孔４２を備えている。よって、上記ソケットレンチ４１の嵌合孔４２は、本願考案に係るボルト頭部２４やナット１１に嵌合することができる。よって、上記ソケットレンチ４１を上記ボルト２１又は上記ナット１１の取り付けや取り外しに使用することができる。
【００２３】
図５（Ａ）は、一般の六角ナット５１に、本願考案に係るソケットレンチ４１を被せ平面視した状態を示す説明図である。本願考案に係るソケットレンチ４１の嵌合孔４２の側面４３のうち、３面の正六角形側面４４，４４，４４と、一般の六角ナット５１の外側面５３を構成する６つの正六角形側面５４のうちの３面５４，５４，５４とがそれぞれ適合するため、上記ソケットレンチ４１の嵌合孔４２は、頭部が正多角柱である一般のボルトや正多角柱の形状を基本とする一般のナットに嵌合することができ、上記ソケットレンチ４１を本願考案に係る締付工具係合部（ボルト頭部２４及びナット１１）だけではなく、一般の六角ボルトや六角ナット５１の取り付けや取り外しに使用することもできる。よって、種々の部品の取り付けや取り外しの際に、取り付け、取り外しのための工具を複数用意しなくてもよい。
【符号の説明】
【００２４】
１１  ナット
１２  ねじ穴
１４  正六角形側面
１５  膨出側面
１６  膨出部
２１  ボルト
２３  雄ねじ
２４  ボルト頭部
２６  正六角形側面
２７  膨出側面
３１  ゆるみ止めナット
３２  ねじ穴
４１  ソケットレンチ
４２  嵌合孔
４４  正六角形側面
４５  膨出側面
４６  膨出部
５１  六角ナット
５２  ねじ穴
５４  正六角形側面
６１  一般のソケットレンチ
６２  嵌合孔
６４  正六角形側面
【図１】
0003164405.tif 000003
【図２】
0003164405.tif 000004
【図３】
0003164405.tif 000005
【図４】
0003164405.tif 000006
【図５】
0003164405.tif 000007